(57)【要約】【課題】表示パネル内での発熱による特性の劣化を防止し、液晶表示装置の信頼性を向上させる。【解決手段】画像表示部２に形成された信号線を水平方向に走査する水平走査駆動回路３が設けられるとともに、一方側にフレキシブルプリント配線板５が接続された表示パネル１と、この表示パネル１の近傍でフレキシブルプリント配線板５と反対側に配置され、表示パネル１に向けて送風する冷却用のファン７とを備える液晶表示装置の構成として、表示パネル１の内部で、水平走査駆動回路３をフレキシブルプリント配線板５と反対側に配置することにより、ファン７からの送風によって水平走査駆動回路３を効率良く冷却する。【選択図】図１
2005025111.tif 000002
【特許請求の範囲】
【請求項１】
画像表示部に形成された信号線を水平方向に走査する水平走査駆動手段が設けられるとともに、一方側に配線板が接続された表示パネルと、
前記表示パネルの近傍で前記配線板と反対側に配置され、前記表示パネルに向けて送風する冷却手段とを備え、
前記表示パネルの内部で、前記水平走査駆動手段を前記配線板と反対側に配置してなる
ことを特徴とする液晶表示装置。
【請求項２】
前記配線板は、一端部が前記表示パネルに接続され、他端部がパネル駆動用のマザー基板に接続されている
ことを特徴とする請求項１記載の液晶表示装置。
【発明の詳細な説明】
【技術分野】
【０００１】
本発明は、液晶表示装置に係り、特に、表示パネル（液晶パネル）を冷却する冷却手段を備える液晶表示装置に関する。
【背景技術】
【０００２】
液晶表示装置の表示パネルは、駆動基板と対向基板とを所定の間隙（例えば数μｍ）で対向状態に配置し、その間（間隙部分）に液晶組成物を封入した構成となっている。この表示パネルでは、液晶組成物の封入領域が実効的な画像表示部となる。画像表示部には、複数の信号線と複数の走査線がマトリクス状に配列される。このうち、信号線は、表示画像部の上下方向となる垂直方向と平行なラインで形成されるもので、これは表示画像部の左右方向となる水平方向に所定の間隔で複数配列される。一方、走査線は、水平方向に平行なラインで形成されるもので、これは垂直方向に所定の間隔で複数配列される。表示画像部では、信号線と走査線の交差部が表示画素となり、その交差部にＴＦＴ（薄膜トランジスタ）が配置される。
【０００３】
図３は液晶表示装置の表示パネルの外観を示す斜視図であり、図４は従来の液晶表示装置の構成を示す概略図である。図において、液晶表示装置の表示パネル５１は平面視長方形に形成されている。表示パネル５１の内部には、画像表示部５２、水平走査駆動回路部５３及び垂直走査駆動回路部５４が設けられている。画像表示部５２は、平面視長方形に形成されている。画像表示部５２には液晶が封入されている。水平走査駆動回路部５３は、画像表示部５２の長辺側の一辺部に沿って配置されている。垂直走査駆動回路部５４は、水平走査駆動回路部５３と直角をなすように画像表示部５２の短辺側の両辺部に沿って配置されている。また、表示パネル５１の長辺側の一辺部にはフレキシブルプリント配線板５５が接続されている。フレキシブルプリント配線板５５は、その一端部に設けられた接続パッド部５５Ａをこれに対応する表示パネル５１の接続端子部（不図示）に圧着することにより、表示パネル５１に電気的かつ機械的に接続されている。
【０００４】
このような表示パネル５１を備える液晶表示装置では、画像表示部５２に形成された信号線と走査線を、それぞれに対応する水平走査駆動回路部５３、垂直走査駆動回路部５４で１本ずつ走査する。その際、垂直走査駆動回路部５４が１本の走査線を走査する間に、水平走査駆動回路部５３は複数本の信号線を走査する。そのため、水平走査駆動回路部５３においては、信号線を走査するため際には、水平走査駆動回路部５３での発熱が顕著になる。
【０００５】
そこで従来においては、液晶表示装置の内部にファンを取り付け、このファンからの送風によって発熱部を冷却する技術が公知となっている（例えば、特許文献１、２参照）。この従来技術にしたがって表示パネル５１の近傍にファンを設置しようとした場合、フレキシブルプリント配線板５５が取り付いている側には、表示パネル５１の駆動制御回路を実装したマザー基板５６が配置され、このマザー基板５６にフレキシブルプリント配線板５５が電気的かつ機械的に接続されるため、ファンの設置スペースを確保することが難しい。このような事情から、表示パネル５１に対しては、フレキシブルプリント配線板５５が取り付く側と反対側にファン５７を設置し、このファン５７からの送風により表示パネル５１を冷却することになる。
【０００６】
【特許文献１】特開平９−１６６７６６号公報
【特許文献２】特開２００２−１０７６９８号公報
【発明の開示】
【発明が解決しようとする課題】
【０００７】
しかしながら、従来においては、表示パネル５１内でフレキシブルプリント配線板５５から水平走査駆動回路部５３につながる配線長を極力短くした方が、動作の応答性、ノイズ等の面で有利であるとの理由から、フレキシブルプリント配線板５５の接続部と画像表示部５２との間に水平走査駆動回路部５３を配置している。そのため、上述のようにファン５７を設置した場合は、水平走査駆動回路部５３がファン５７から離れたところに配置され、水平走査駆動回路部５３を効率良く冷却できない状況となる。
【０００８】
特に近年では、表示画像の高精細化に伴って水平走査駆動回路部５３の動作周波数が高くなり、その影響で水平走査駆動回路部５３の発熱量も増大している。そのため、上記配線長による表示画像への影響に比べて、水平走査駆動回路部５３の発熱による特性の劣化（例えば、表示パネル５１を封止するシール材の劣化など）が顕在化している。したがって、今後の更なる高精細化に対応するためにも、水平走査駆動回路部５３の発熱による特性の劣化を抑えることが、液晶表示装置の信頼性を維持するうえで重要な課題となっている。
【課題を解決するための手段】
【０００９】
本発明に係る液晶表示装置は、画像表示部に形成された信号線を水平方向に走査する水平走査駆動手段が設けられるとともに、一方側に配線板が接続された表示パネルと、この表示パネルの近傍で配線板と反対側に配置され、表示パネルに向けて送風する冷却手段とを備え、表示パネルの内部で、水平走査駆動手段を配線板と反対側に配置したものである。
【００１０】
上記構成の液晶表示装置においては、表示パネルの内部で水平走査駆動手段が冷却手段と近接する側に配置されるため、冷却手段からの送風が水平走査駆動手段に直接的かつ集中的に吹き付けられるようになる。
【発明の効果】
【００１１】
本発明の液晶表示装置によれば、表示パネル内で特に発熱しやすい水平走査駆動手段を冷却手段からの送風によって効率良く冷却することができる。したがって、表示パネル内での発熱による特性の劣化を防止し、液晶表示装置の信頼性を向上させることが可能となる。
【発明を実施するための最良の形態】
【００１２】
以下、本発明の具体的な実施の形態について図面を参照しつつ詳細に説明する。
【００１３】
図１は本発明の実施形態に係る液晶表示装置の構成を示す概略図であり、図２は本発明の実施形態に係る液晶表示装置の表示パネルの構成を示す断面図である。図において、液晶表示装置の表示パネル（液晶パネル）１は、平面視長方形に形成されている。この表示パネル１は、それぞれガラス基板からなる駆動基板１Ａと対向基板１Ｂとを対向状態に配置し、その間（間隙）に液晶を封入した構造となっている。駆動基板１Ａと対向基板１Ｂとの間（間隙部分）は、図示しないスペーサによって所定寸法に保持されるとともに、パネル外周部を取り囲むシール材１Ｃによって封止されている。また、駆動基板１Ａには例えばＴＦＴがアレイ状に形成され、対向基板１Ｂにはブラックマトリクスやカラーフィルタが形成される。このことから、駆動基板１ＡはＴＦＴアレイ基板とも称され、対向基板１Ｂはカラーフィルタ基板とも称される。
【００１４】
表示パネル１の内部には、画像表示部２、水平走査駆動回路部３及び垂直走査駆動回路部４が設けられている。画像表示部２は、正面視長方形に形成されている。この画像表示部２は上記シール材１Ｃによって囲まれた領域（液晶封入領域）をいい、この領域内に複数の信号線と複数の走査線が行列状に配置されている。そして、信号線と走査線との交差部が表示画素となり、この交差部に例えばＴＦＴが配置されている。
【００１５】
水平走査駆動回路部３は、複数の信号線を水平方向に順に走査するものである。この水平走査駆動回路部３は、例えば水平走査回路とこれを駆動する駆動回路によって構成されるもので、画像表示部２の長辺側の一辺部に沿って水平に配置されている。垂直走査駆動回路部４は、複数の走査線を垂直方向に順に走査するものである。この垂直走査駆動回路部４は、例えば垂直走査回路とこれを駆動する駆動回路によって構成されるもので、水平走査駆動回路部３と直角をなすように画像表示部２の短辺側の両辺部に沿って垂直に配置されている。なお、垂直走査駆動回路部４は、画像表示部２の短辺側の一辺部（片側）にのみ配置される場合もある。
【００１６】
また、表示パネル１の長辺側の一辺部には、適度な可撓性（柔軟性）を有するフレキシブルプリント配線板５が接続されている。フレキシブルプリント配線板５は、その一端部に設けられた接続パッド部５Ａをこれに対応する表示パネル１の接続端子部（不図示）に圧着することにより、表示パネル１に電気的かつ機械的に接続されている。また、フレキシブルプリント配線板５は表示パネル１の一辺部から一方向に引き出され、その引き出し端となるフレキシブルプリント配線板５の他端部がパネル駆動用のマザー基板６に電気的かつ機械的に接続されている。マザー基板６は、例えばガラスエポキシ基板によって構成される。このマザー基板６には表示パネル１を駆動制御するための駆動制御回路が実装される。そして、駆動制御回路からパネル駆動用の入力信号が、フレキシブルプリント配線板５を通して表示パネル１の水平走査駆動回路部３及び垂直走査駆動回路部４に供給される構成となっている。
【００１７】
さらに、表示パネル１の近傍には、冷却手段となる回転式のファン７が配置されている。ファン７は、表示パネル１に向けて矢印方向に冷風を送ることにより、表示パネル１を冷却するものである。このファン７は、表示パネル１の上下方向（垂直方向）において、フレキシブルプリント配線板５の接続部（引き出し側）と反対側に配置されている。したがって、表示パネル１の上側にフレキシブルプリント配線板５が接続されているものとすると、ファン７は表示パネル１の下側から送風するものとなる。
【００１８】
これに対して、表示パネル１の内部では、水平走査駆動回路部３が、フレキシブルプリント配線板５の接続部と画像表示部２との間に介在せず、フレキシブルプリント配線板５の接続部（５Ａ）と反対側に配置されている。換言すると、フレキシブルプリント配線板５は表示パネル１の一方の長辺部に接続され、水平走査駆動回路部３は表示パネル１の他方の長辺部近傍に配置されている。これにより、表示パネル１の上下方向では、画像表示部２を間に挟んで、一方側（図１の上側）にフレキシブルプリント配線板５が配置され、他方側（図１の下側）に水平走査駆動回路部３が配置された構成となっている。この場合、フレキシブルプリント配線板５と水平走査駆動回路部３との間の配線は、画像表示部２の両側の空きスペースを利用して引き回されることになる。
【００１９】
かかる構成の表示パネル１を備えた液晶表示装置においては、表示パネル１の内部で水平走査駆動回路部３がファン７と近接する側に配置されるため、実際にファン７を回転させて矢印方向に冷風を送った場合、ファン７からの送風が水平走査駆動回路部３に直接的かつ集中的に吹き付けられる。これにより、ファン７からの送風によって水平走査駆動回路部３を効率良く冷却することができる。その結果、水平走査駆動回路３の発熱を抑制し、発熱による特性劣化を有効に防止することができる。
【図面の簡単な説明】
【００２０】
【図１】本発明の実施形態に係る液晶表示装置の構成を示す概略図である。
【図２】本発明の実施形態に係る液晶表示装置の表示パネルの構成を示す断面図である。
【図３】液晶表示装置の表示パネルの外観を示す斜視図である。
【図４】従来の液晶表示装置の構成を示す概略図である。
【符号の説明】
【００２１】
１…表示パネル、２…画像表示部、３…水平走査駆動回路部、６…マザー基板、７…ファン
【図１】
2005025111.tif 000003
【図２】
2005025111.tif 000004
【図３】
2005025111.tif 000005
【図４】
2005025111.tif 000006